(57)【要約】【課題】プレキャスト壁高欄を床版に接合するための接合構造において、その施工の工期短縮を図る。【解決手段】床版２０の側端部２０Ｂおよび側端部近傍領域２０Ｃを、その一般部２０Ａに対して段下がりで形成する。また、床版２０の一般部２０Ａに、その外側面２０Ａａから突出する第１の鉄筋２２を配筋する一方、床版２０の側端部２０Ｂの上面に載置されるプレキャスト壁高欄３０に、その高欄本体部３０Ａの内側面３０Ａｂの下端部３０Ａｂ１から突出する第２の鉄筋３２を配筋しておく。そして、高欄本体部３０Ａの内側面３０Ａｂの下端部３０Ａｂ１と、床版２０の一般部２０Ａの外側面２０Ａａと、その側端部近傍領域２０Ｃの上面２０Ｃａとで形成される凹部空間Ｃに間詰めコンクリート４０を打設することにより、プレキャスト壁高欄３０を床版２０に接合する。これにより外型枠の設置を不要とし、また補強鉄筋４２の配筋作業を水平面上での作業とする。【選択図】図９
2015169031.tif 000002
【特許請求の範囲】
【請求項１】
床版の側端部にプレキャスト壁高欄が設置されてなる橋梁において、上記プレキャスト壁高欄を上記床版に接合するための接合構造であって、
上記床版の側端部および該側端部の橋軸直交方向内側に位置する側端部近傍領域が、該床版の一般部に対して段下がりで形成されており、
上記床版に、該床版の一般部の外側面から突出する第１の鉄筋が配筋されるとともに、上記プレキャスト壁高欄に、該プレキャスト壁高欄の内側面の下端部から突出する第２の鉄筋が配筋されており、
上記床版の側端部の上面に載置された上記プレキャスト壁高欄の内側面と上記床版の一般部の外側面と上記床版の側端部近傍領域の上面とで形成される凹部空間に間詰めコンクリートが打設されることにより、上記プレキャスト壁高欄が上記床版に接合されている、ことを特徴とするプレキャスト壁高欄の接合構造。
【請求項２】
上記床版が、橋軸直交方向に延びる複数のプレキャストリブを橋軸方向に所定間隔をおいて配置するとともに、これら各プレキャストリブ相互間に複数のプレキャスト板を架け渡した状態で、これらプレキャスト板の上に床版コンクリートを打設することにより形成されており、
上記プレキャスト壁高欄が、上記複数のプレキャストリブの側端部の上面に載置されており、
上記間詰めコンクリートが、上記プレキャスト壁高欄の内側面と上記床版コンクリートの外側面と上記複数のプレキャスト板のうち最も外側に位置するプレキャスト板の上面とで形成される凹部空間に打設されている、ことを特徴とする請求項１記載のプレキャスト壁高欄の接合構造。
【請求項３】
上記プレキャスト壁高欄が、該プレキャスト壁高欄の内側面と上記最も外側に位置するプレキャスト板の外側面とを略面一にした状態で、上記複数のプレキャストリブの側端部の上面に載置されている、ことを特徴とする請求項２記載のプレキャスト壁高欄の接合構造。
【請求項４】
上記各プレキャストリブの側端部の上面に、上記プレキャスト壁高欄の設置高さを調整するための高さ調整構造が設けられている、ことを特徴とする請求項２または３記載のプレキャスト壁高欄の接合構造。
【請求項５】
上記プレキャスト壁高欄が、高欄本体部と、この高欄本体部の下端面における外側領域から下方へ向けて延びる垂下部とを備えており、
上記プレキャスト壁高欄が、上記高欄本体部の下端面において上記各プレキャストリブの側端部の上面に載置されている、ことを特徴とする請求項２〜４いずれか記載のプレキャスト壁高欄の接合構造。
【発明の詳細な説明】
【技術分野】
【０００１】
本願発明は、床版の側端部にプレキャスト壁高欄が設置されてなる橋梁に関するものであり、特に、プレキャスト壁高欄を床版に接合するための接合構造に関するものである。
【背景技術】
【０００２】
従来より、橋梁の構造として、床版の側端部にプレキャスト壁高欄が設置されたものが知られている。
【０００３】
「特許文献１」には、このような橋梁においてプレキャスト壁高欄を床版に接合するための接合構造が記載されている。
【０００４】
すなわち、この接合構造においては、床版の側端部にその上面から突出する鉄筋を配筋しておく一方、プレキャスト壁高欄にその下端面から突出する鉄筋を配筋しておき、プレキャスト壁高欄を床版の側端部から浮かせた状態で、その下端面と床版の側端部の上面との隙間に補強鉄筋を配筋した後、この隙間に無収縮モルタルを充填するようになっている。
【０００５】
一方「特許文献２」には、プレキャスト壁高欄自体を外型枠の一部として利用した接合構造が記載されている。
【０００６】
すなわち、この接合構造においては、プレキャスト壁高欄として、内側面に凹部が形成された高欄本体部と、この高欄本体部の下端面における外側領域から下方へ向けて延びる垂下部とを備えた構成とした上で、このプレキャスト壁高欄を、その高欄本体部の下端面において床版の側端部上面に載置し、その高欄本体部の内側面に形成された凹部を利用して無収縮モルタルを充填するようになっている。
【先行技術文献】
【特許文献】
【０００７】
【特許文献１】特開２０１３−３６２０５号公報
【特許文献２】特許２８５９１５８号公報
【発明の概要】
【発明が解決しようとする課題】
【０００８】
上記「特許文献１」に記載された接合構造においては、プレキャスト壁高欄の下端面と床版の側端部の上面との隙間に無収縮モルタルを充填する際、その隙間の外側に外型枠を設置する必要があり、そのための腕木足場を床版の外側に設置する必要がある。
【０００９】
このため、安全性を十分に確保した上で施工を行うようにすると、工期が非常に長くかかってしまう、という問題がある。また、上記隙間に補強鉄筋を配筋する作業は容易でなく、この点においても工期が長くかかってしまう、という問題がある。
【００１０】
これに対し、上記「特許文献２」に記載された接合構造を採用すれば、腕木足場の設置を不要とすることが可能となる。
【００１１】
一方、この接合構造では、無収縮モルタルを充填するための空間を床版の上方側に形成する必要があるが、床版の上方側において外型枠を設置する作業は容易でなく、また補強鉄筋を配筋する作業も容易でない。このため、やはり工期が長くかかってしまう、という問題がある。
【００１２】
本願発明は、このような事情に鑑みてなされたものであって、プレキャスト壁高欄を床版に接合するための施工の工期短縮を図ることができるプレキャスト壁高欄の接合構造を提供することを目的とするものである。
【課題を解決するための手段】
【００１３】
本願発明は、プレキャスト壁高欄を床版に接合する際の接合位置に工夫を施すことにより、上記目的達成を図るようにしたものである。
【００１４】
すなわち、本願発明に係るプレキャスト壁高欄の接合構造は、
床版の側端部にプレキャスト壁高欄が設置されてなる橋梁において、上記プレキャスト壁高欄を上記床版に接合するための接合構造であって、
上記床版の側端部および該側端部の橋軸直交方向内側に位置する側端部近傍領域が、該床版の一般部に対して段下がりで形成されており、
上記床版に、該床版の一般部の外側面から突出する第１の鉄筋が配筋されるとともに、上記プレキャスト壁高欄に、該プレキャスト壁高欄の内側面の下端部から突出する第２の鉄筋が配筋されており、
上記床版の側端部の上面に載置された上記プレキャスト壁高欄の内側面と上記床版の一般部の外側面と上記床版の側端部近傍領域の上面とで形成される凹部空間に間詰めコンクリートが打設されることにより、上記プレキャスト壁高欄が上記床版に接合されている、ことを特徴とするものである。
【００１５】
上記「床版」は、その側端部および側端部近傍領域がその一般部（すなわち側端部および側端部近傍領域以外の部分）に対して段下がりで形成されていれば、その具体的な構成は特に限定されるものではない。
【発明の効果】
【００１６】
上記構成に示すように、本願発明においては、床版の側端部および側端部近傍領域がその一般部に対して段下がりで形成されており、また、この床版には、その一般部の外側面から突出する第１の鉄筋が配筋されており、一方、プレキャスト壁高欄には、その内側面の下端部から突出する第２の鉄筋が配筋されており、そして、床版の側端部の上面に載置されたプレキャスト壁高欄の内側面と、床版の一般部の外側面と、床版の側端部近傍領域の上面とで形成される凹部空間に間詰めコンクリートが打設されることにより、プレキャスト壁高欄が床版に接合される構成となっているので、次のような作用効果を得ることができる。
【００１７】
すなわち、上記凹部空間に間詰めコンクリートを打設する際、その外側に外型枠を設置する必要がなく、したがってそのための腕木足場を床版の外側に設置する必要もないので、従来の接合構造に比して施工効率を大幅に向上させることができる。また、上記凹部空間において補強鉄筋を配筋する作業は水平面上での作業となるので、この点においても施工効率を大幅に向上させることができる。
【００１８】
したがって本願発明によれば、プレキャスト壁高欄を床版に接合するための施工の工期短縮を図ることができる。
【００１９】
上記構成において、床版の構成として、橋軸直交方向に延びる複数のプレキャストリブを橋軸方向に所定間隔をおいて配筋するとともに、これら各プレキャストリブ相互間に複数のプレキャスト板を架け渡した状態で、これらプレキャスト板の上に床版コンクリートを打設することにより形成された構成とした上で、その複数のプレキャストリブの側端部の上面にプレキャスト壁高欄が載置されるとともに、このプレキャスト壁高欄の内側面と床版コンクリートの外側面と複数のプレキャスト板のうち最も外側に位置するプレキャスト板の上面とで形成される凹部空間に間詰めコンクリートが打設された構成とすれば、次のような作用効果を得ることができる。
【００２０】
すなわち、このような構成を採用することにより、床版の構成として、その側端部および側端部近傍領域がその一般部に対して段下がりで形成された構成とすることが容易に可能となり、これにより一層の工期短縮を図ることができる。
【００２１】
その際、プレキャスト壁高欄の構成として、その内側面と最も外側に位置するプレキャスト板の外側面とを略面一にした状態で複数のプレキャストリブの側端部の上面に載置された構成とすれば、プレキャスト壁高欄を外型枠の一部として利用しやすくすることができる。
【００２２】
またその際、各プレキャストリブの側端部の上面にプレキャスト壁高欄の設置高さを調整するための高さ調整構造が設けられた構成とすれば、プレキャスト壁高欄および各プレキャストリブの寸法精度を厳密に管理しなくても、プレキャスト壁高欄の接合を確実に行うことが可能となる。
【００２３】
さらにその際、プレキャスト壁高欄として、高欄本体部とその下端面における外側領域から下方へ向けて延びる垂下部とを備えた構成とした上で、プレキャスト壁高欄がその高欄本体部の下端面において各プレキャストリブの側端部の上面に載置された構成とすれば、プレキャスト壁高欄を複数のプレキャストリブの側端部の上面に載置する際の位置決め精度を高めることができる。
【００２４】
上記「高さ調整構造」の具体的な構成は特に限定されるものではなく、例えば、ボルトを用いた構造、シムを用いた構造等が採用可能である。
【図面の簡単な説明】
【００２５】
【図１】本願発明の一実施形態に係るプレキャスト壁高欄の接合構造を示す斜視図
【図２】上記実施形態の施工工程の概要を示す側断面図
【図３】（ａ１）は図２（ａ）の要部詳細図、（ａ２）はその平面図
【図４】（ｂ１）は図２（ｂ）の要部詳細図、（ｂ２）はその平面図
【図５】（ｃ１）は図２（ｃ）の要部詳細図、（ｃ２）はその平面図
【図６】（ｄ１）は図２（ｄ）の要部詳細図、（ｄ２）はその平面図
【図７】図４（ｂ２）のVII 部詳細図
【図８】図５（ｃ２）のVIII部詳細図
【図９】図６（ｄ２）のIX−IX線断面詳細図
【図１０】上記実施形態の第１変形例を示す、図８と同様の図
【図１１】上記実施形態の第２変形例を示す、図９と同様の図
【発明を実施するための形態】
【００２６】
以下、図面を用いて、本願発明の実施の形態について説明する。
【００２７】
図１は、本願発明の一実施形態に係るプレキャスト壁高欄の接合構造を示す斜視図である。また、図９は、この接合構造の要部を詳細に示す側断面図である。なお、後述するように、図９は、図６（ｄ２）のIX−IX線断面詳細図である。
【００２８】
これらの図に示すように、この接合構造は、床版２０の側端部にプレキャスト壁高欄３０が設置されてなる橋梁１０において、プレキャスト壁高欄３０を床版２０に接合するための構造である。
【００２９】
床版２０は、その側端部２０Ｂおよび該側端部２０Ｂの橋軸直交方向内側に位置する側端部近傍領域２０Ｃが、該床版２０の一般部２０Ａに対して段下がりで形成されている。
【００３０】
この床版２０には、その一般部２０Ａの外側面２０Ａａから橋軸直交方向外側へ向けて突出する第１の鉄筋２２が配筋されている。この鉄筋２２は、橋軸方向に所定間隔をおいて配筋された複数のループ鉄筋で構成されている。
【００３１】
一方、プレキャスト壁高欄３０は、高欄本体部３０Ａと、この高欄本体部３０Ａの下端面３０Ａａにおける外側領域から下方へ向けて延びる垂下部３０Ｂとを備えた構成となっている。その際、高欄本体部３０Ａは、その内側面３０Ａｂの下端部３０Ａｂ１が厚肉に形成されている。
【００３２】
このプレキャスト壁高欄３０には、その高欄本体部３０Ａの内側面３０Ａｂの下端部３０Ａｂ１から橋軸直交方向内側へ向けて突出する第２の鉄筋３２が配筋されている。この鉄筋３２は、橋軸方向に所定間隔をおいて配筋された複数のループ鉄筋で構成されている。
【００３３】
第１および第２の鉄筋２２、３２は、いずれもプレキャスト壁高欄３０の橋軸方向両端部近傍において配筋密度が高くなっている。
【００３４】
そして、この橋梁１０においては、床版２０の側端部２０Ｂの上面に載置されたプレキャスト壁高欄３０の高欄本体部３０Ａの内側面３０Ａｂと、床版２０の一般部２０Ａの外側面２０Ａａと、床版２０の側端部近傍領域２０Ｃの上面２０Ｃａとで形成される凹部空間Ｃに間詰めコンクリート４０が打設されることにより、プレキャスト壁高欄３０が床版２０に接合される構成となっている。
【００３５】
その際、凹部空間Ｃにおいて、床版２０側から突出する第１の鉄筋２２とプレキャスト壁高欄３０側から突出する第２の鉄筋３２とが、橋軸方向に交互に配筋されるようになっている。さらに、この凹部空間Ｃには、橋軸方向に延びる複数の補強鉄筋４２が、第１および第２の鉄筋２２、３２のループ内においてこれらと接触するようにして配筋されている。
【００３６】
床版２０は、橋軸直交方向に延びる複数のプレキャストリブ２４を橋軸方向に所定間隔をおいて配置するとともに、これら各プレキャストリブ２４相互間に複数のプレキャスト板２６を架け渡した状態で、これらプレキャスト板２６の上に床版コンクリート２８を打設することにより形成されている。
【００３７】
そしてこれにより、床版２０の一般部２０Ａは、床版コンクリート２８で構成され、その側端部２０Ｂは、複数のプレキャストリブ２４の側端部２４Ｂで構成され、その側端部近傍領域２０Ｃは、最も外側に位置するプレキャスト板２６の床版コンクリート２８よりも外側に位置する露出部分２６Ｃで構成されるようになっている。
【００３８】
各プレキャストリブ２４の上面２４ａは、その側端部２４Ｂおよび橋軸方向両端部以外の部分が段上がり部２４ａ１として形成されている。そして、各プレキャスト板２６は、橋軸方向に隣接する２つのプレキャストリブ２４の上面２４ａの橋軸方向端部に載置されている。
【００３９】
また、各プレキャストリブ２４の上面２４ａにおける側端部２４Ｂの部分には、橋軸方向に所定間隔をおいて１対のネジ穴２４ｂが形成されている。そして、これら各ネジ穴２４ｂには、高さ調整ボルト５０がその一部を上面２４ａから突出させるようにして装着されている。
【００４０】
プレキャスト壁高欄３０は、所定長にわたって橋軸方向に延びるように形成されており、その高欄本体部３０Ａの下端面３０Ａａの橋軸方向両端部において、橋軸方向に隣接する２つのプレキャストリブ２４の側端部２４Ｂの上面２４ａに載置されている。
【００４１】
その際、このプレキャスト壁高欄３０は、その高欄本体部３０Ａの内側面３０Ａｂの下端部３０Ａｂ１と、最も外側に位置するプレキャスト板２６の外側面２６ａとを略面一となるようにした状態で載置されている。
【００４２】
このプレキャスト壁高欄３０は、各プレキャストリブ２４の側端部２４Ｂに設けられた高さ調整ボルト５０の上方突出量を調整することにより、その設置高さの調整が行われるようになっている。
【００４３】
このプレキャスト壁高欄３０における高欄本体部３０Ａの下端面３０Ａａには、ステンレス板３４が該下端面３０Ａａと面一で埋設固定されている。このステンレス板３４における各高さ調整ボルト５０の真上の位置には、アンカーピン３６が埋設固定されている。
【００４４】
このプレキャスト壁高欄３０における橋軸方向の一端面には、上下方向に延びる凸部３０ｃが形成されており、また、その橋軸方向の他端面には、上下方向に延びる凹部３０ｄが形成されている。そして、このプレキャスト壁高欄３０が各プレキャストリブ２４の側端部２４Ｂの上面２４ａに載置される際に、橋軸方向に隣接する既設のプレキャスト壁高欄３０との間において、一方の凸部３０ｃと他方の凹部３０ｄとが係合して橋軸直交方向の位置決めを図るようになっている。
【００４５】
図２は、プレキャスト壁高欄３０を床版２０に接合する際の施工工程の概要を示す図である。
【００４６】
まず、同図（ａ）に示すように、プレキャストリブ２４相互間に架け渡された複数のプレキャスト板２６上に床版コンクリート２８を打設することにより床版２０の一般部２０Ａを形成する。
【００４７】
図３（ａ１）は、図２（ａ）の要部詳細図であり、図３（ａ２）はその平面図である。その際、図３（ａ１）は、同図（ａ２）のIIIａ−IIIａ線の位置で示す側断面図である。
【００４８】
同図にも示すように、床版コンクリート２８を施工する際、橋軸方向に所定間隔をおいて橋軸直交方向に延びるＰＣ鋼材６０を配置し、これら各ＰＣ鋼材６０をジャッキ２を用いて緊張する。その際、延長ノーズ４を介在させた状態で緊張を行うことにより、ジャッキ２が第１の鉄筋２２と干渉してしまうのを未然に防止する。
【００４９】
次に、図２（ｂ）に示すように、プレキャスト壁高欄３０を、その高欄本体部３０Ａの下端面３０Ａａにおいて、橋軸方向に隣接する２つのプレキャストリブ２４の側端部２４Ｂ（すなわち床版２０の側端部２０Ｂ）の上面２４ａに載置する。
【００５０】
図４（ｂ１）は、図２（ｂ）の要部詳細図であり、図４（ｂ２）は、その平面図である。その際、図４（ｂ１）は、同図（ｂ２）のIVａ−IVａ線の位置で示す側断面図である。また、図７は、図４（ｂ２）のVII 部詳細図である。
【００５１】
これらの図にも示すように、プレキャスト壁高欄３０の載置は、プレキャスト壁高欄３０を吊り支持した状態で、その高欄本体部３０Ａの内側面３０Ａｂの下端部３０Ａｂ１と、最も外側に位置するプレキャスト板２６の外側面２６ａとを略面一となるようにした状態で行う。その際、プレキャスト壁高欄３０の垂下部３０Ｂを、載置する際のガイドとして用いるようにする。
【００５２】
このプレキャスト壁高欄３０の載置を行う際、各プレキャストリブ２４の側端部２４Ｂに設けられた高さ調整ボルト５０の上方突出量を調整することにより、その設置高さの調整を行う。
【００５３】
その際、プレキャストリブ２４の側端部２４Ｂの上面２４ａの周縁部にバックアップ材７２を配置した状態で、その内周側の空間に、高さ調整ボルト５０の上方突出量の分だけ無収縮モルタル７０を充填する。このとき、図７に示すように、プレキャストリブ２４の上面２４ａの段上がり部２４ａ１とその橋軸方向両側に位置する各プレキャスト板２６との隙間にもバックアップ材７４を配置することにより、無収縮モルタル７０の充填が円滑に行われるようにする。
【００５４】
次に、図２（ｃ）に示すように、プレキャスト壁高欄３０における高欄本体部３０Ａの内側面３０Ａｂの下端部３０Ａｂ１と、床版コンクリート２８（すなわち床版２０の一般部２０Ａ）の外側面２０Ａａと、最も外側に位置するプレキャスト板２６の露出部分２６Ｃ（すなわち床版２０の側端部近傍領域２０Ｃ）の上面２０Ｃａとで形成される凹部空間Ｃに、橋軸方向に延びる複数の補強鉄筋４２を配筋する。
【００５５】
図５（ｃ１）は、図２（ｃ）の要部詳細図であり、図５（ｃ２）は、その平面図である。その際、図５（ｃ１）は、同図（ｃ２）のVａ−Vａ線の位置で示す側断面図である。また、図８は、図５（ｃ２）のVIII部詳細図である。
【００５６】
これらの図にも示すように、凹部空間Ｃには、高欄本体部３０Ａの内側面３０Ａｂの下端部３０Ａｂ１に沿って橋軸方向に延びるバックアップ材７６を配置し、これによりプレキャスト壁高欄３０とプレキャスト板２６との間の隙間をシールする。
【００５７】
また、プレキャスト壁高欄３０を設置する際、その橋軸方向の一端面に形成された凸部３０ｃをこのプレキャスト壁高欄３０に隣接する既設のプレキャスト壁高欄３０の他端面に形成された凹部３０ｄと係合させて、橋軸直交方向の位置決めを図る。その際、これら凸部３０ｃおよび凹部３０ｄ間に接着剤７８を介在させるようにする。
【００５８】
次に、図２（ｄ）に示すように、凹部空間Ｃに間詰めコンクリート４０を打設し、これによりプレキャスト壁高欄３０を床版２０に接合する。
【００５９】
図６（ｄ１）は、図２（ｄ）の要部詳細図であり、図６（ｄ２）は、その平面図である。その際、図６（ｄ１）は、同図（ｄ２）のVIａ−VIａ線の位置で示す側断面図である。また、図９は、図６（ｄ２）のIX−IX線断面詳細図である。
【００６０】
これらの図にも示すように、間詰めコンクリート４０は、床版コンクリート２８の上面と面一になるように打設する。そして、この間詰めコンクリート４０の打設によりプレキャスト壁高欄３０を床版２０に接合した後、床版２０の上面に舗装８０を施すようにする。
【００６１】
次に、本実施形態の作用について説明する。
【００６２】
本実施形態においては、床版２０の側端部２０Ｂおよび側端部近傍領域２０Ｃがその一般部２０Ａに対して段下がりで形成されており、また、この床版２０には、その一般部２０Ａの外側面２０Ａａから突出する第１の鉄筋２２が配筋されており、一方、プレキャスト壁高欄３０には、その高欄本体部３０Ａの内側面３０Ａｂの下端部３０Ａｂ１から突出する第２の鉄筋３２が配筋されており、そして、床版２０の側端部２０Ｂの上面に載置されたプレキャスト壁高欄３０における高欄本体部３０Ａの内側面３０Ａｂの下端部３０Ａｂ１と、床版２０の一般部２０Ａの外側面２０Ａａと、床版２０の側端部近傍領域２０Ｃの上面２０Ｃａとで形成される凹部空間Ｃに間詰めコンクリート４０が打設されることにより、プレキャスト壁高欄３０が床版２０に接合される構成となっているので、次のような作用効果を得ることができる。
【００６３】
すなわち、凹部空間Ｃに間詰めコンクリート４０を打設する際、その外側に外型枠を設置する必要がなく、したがってそのための腕木足場を床版２０の外側に設置する必要もないので、従来の接合構造に比して施工効率を大幅に向上させることができる。また、凹部空間Ｃにおいて補強鉄筋４２を配筋する作業は水平面上での作業となるので、この点においても施工効率を大幅に向上させることができる。
【００６４】
したがって本実施形態によれば、プレキャスト壁高欄３０を床版２０に接合するための施工の工期短縮を図ることができる。
【００６５】
その際、本実施形態においては、床版２０の構成として、橋軸直交方向に延びる複数のプレキャストリブ２４を橋軸方向に所定間隔をおいて配置するとともに、これら各プレキャストリブ２４相互間に複数のプレキャスト板２６を架け渡した状態で、これらプレキャスト板２６の上に床版コンクリート２８を打設することにより形成された構成とした上で、その複数のプレキャストリブ２４の側端部２４Ｂの上面２４ａにプレキャスト壁高欄３０が載置されるとともに、このプレキャスト壁高欄３０における高欄本体部３０Ａの内側面３０Ａｂの下端部３０Ａｂ１と、床版コンクリート２８の外側面２０Ａａと、複数のプレキャスト板２６のうち最も外側に位置するプレキャスト板２６の上面とで凹部空間Ｃが形成される構成となっているので、次のような作用効果を得ることができる。
【００６６】
すなわち、このような構成を採用することにより、床版２０の構成として、その側端部２０Ｂおよび側端部近傍領域２０Ｃがその一般部２０Ａに対して段下がりで形成された構成とすることが容易に可能となり、これにより一層の工期短縮を図ることができる。
【００６７】
しかも本実施形態においては、プレキャスト壁高欄３０が、その高欄本体部３０Ａの内側面３０Ａｂの下端部３０Ａｂ１と、最も外側に位置するプレキャスト板２６の外側面２０Ａａとを略面一にした状態で、複数のプレキャストリブ２４の側端部２４Ｂの上面２４ａに載置された構成となっているので、プレキャスト壁高欄３０を外型枠の一部として利用しやすくすることができる。
【００６８】
また本実施形態においては、各プレキャストリブ２４の側端部２４Ｂの上面２４ａにプレキャスト壁高欄３０の設置高さを調整するための高さ調整構造として、高さ調整ボルト５０が設けられた構成となっているので、プレキャスト壁高欄３０および各プレキャストリブ２４の寸法精度を厳密に管理しなくても、プレキャスト壁高欄３０の接合を確実に行うことが可能となる。
【００６９】
さらに本実施形態においては、プレキャスト壁高欄３０として、高欄本体部３０Ａとその下端面３０Ａａにおける外側領域から下方へ向けて延びる垂下部３０Ｂとを備えた構成となっており、その上で、プレキャスト壁高欄３０がその高欄本体部３０Ａの下端面３０Ａａにおいて各プレキャストリブ２４の側端部２４Ｂの上面２４ａに載置された構成となっているので、プレキャスト壁高欄３０をプレキャストリブ２４の側端部２４Ｂの上面２４ａに載置する際の位置決め精度を高めることができる。
【００７０】
次に、上記実施形態の変形例について説明する。
【００７１】
まず、上記実施形態の第１変形例について説明する。
【００７２】
図１０は、本変形例に係るプレキャスト壁高欄の接合構造を示す、図８と同様の図である。
【００７３】
同図に示すように、本変形例の基本的な構成は上記実施形態の場合と同様であるが、床版２０側から突出する第１の鉄筋１２２とプレキャスト壁高欄３０側から突出する第２の鉄筋１３２の構成が上記実施形態の場合と異なっている。
【００７４】
すなわち、本変形例においては、第１の鉄筋１２２が、床版２０の一般部２０Ａの外側面２０Ａａから橋軸直交方向外側へ向けて直線状に突出しており、また、第２の鉄筋１３２も、プレキャスト壁高欄３０の高欄本体部３０Ａの内側面３０Ａｂの下端部３０Ａｂ１から橋軸直交方向内側へ向けて直線状に突出している。そして、これら第１および第２の鉄筋１２２、１３２により重ね継手が構成されている。
【００７５】
また本変形例においても、凹部空間Ｃには、橋軸方向に延びる複数の補強鉄筋４２が、第１および第２の鉄筋１２２、１３２と接触するようにして配筋されている。
【００７６】
本変形例に係る接合構造を採用した場合においても、上記実施形態と同様の作用効果を得ることができる。
【００７７】
なお、本変形例の構成を採用する代わりに、床版２０側から突出する第１の鉄筋１２２とプレキャスト壁高欄３０側から突出する第２の鉄筋１３２とが、同一直線上においてその先端面を互いに所定間隔をおいて突き合わせるようにして配置された状態とした上で、これら第１および第２の鉄筋１２２、１３２がカプラー等を用いて機械的に連結された構成を採用することも可能である。
【００７８】
次に、上記実施形態の第２変形例について説明する。
【００７９】
図１１は、本変形例に係るプレキャスト壁高欄の接合構造を示す、図９と同様の図である。
【００８０】
同図に示すように、本変形例の基本的な構成は上記実施形態の場合と同様であるが、本変形例においては床版２２０が場所打ちコンクリートで構成されている点で上記実施形態の場合と異なっている。
【００８１】
すなわち、この床版２２０は、その側端部２２０Ｂおよび側端部近傍領域２２０Ｃが、該床版２２０の一般部２２０Ａに対して段下がりで形成されており、その一般部２２０Ａの外側面２２０Ａａから第１の鉄筋２２２が橋軸直交方向外側へ向けて突出している。
【００８２】
本変形例においては、床版２２０の側端部２２０Ｂの上面２２０Ｂａに載置されたプレキャスト壁高欄３０における高欄本体部３０Ａの内側面３０Ａｂの下端部３０Ａｂ１と、床版２２０の一般部２２０Ａの外側面２２０Ａａと、床版２２０の側端部近傍領域２２０Ｃの上面２２０Ｃａとで形成される凹部空間Ｃに間詰めコンクリート２４０が打設されることにより、プレキャスト壁高欄３０が床版２２０に接合される構成となっている。
【００８３】
本変形例に係る接合構造を採用した場合においても、上記実施形態と同様の作用効果を得ることができる。
【００８４】
なお、上記実施形態およびその変形例において諸元として示した数値は一例にすぎず、これらを適宜異なる値に設定してもよいことはもちろんである。
【００８５】
また、本願発明は、上記実施形態およびその変形例に記載された構成に限定されるものではなく、これ以外の種々の変更を加えた構成が採用可能である。
【符号の説明】
【００８６】
２  ジャッキ
４  延長ノーズ
１０  橋梁
２０、２２０  床版
２０Ａ、２２０Ａ  一般部
２０Ａａ、２２０Ａａ  外側面
２０Ｂ、２２０Ｂ  側端部
２０Ｃ、２２０Ｃ  側端部近傍領域
２０Ｃａ、２２０Ｂａ、２２０Ｃａ  上面
２２、１２２、２２２  第１の鉄筋
２４  プレキャストリブ
２４ａ  上面
２４ａ１  段上がり部
２４ｂ  ネジ穴
２４Ｂ  側端部
２６  プレキャスト板
２６ａ  外側面
２６Ｃ  露出部分
２８  床版コンクリート
３０  プレキャスト壁高欄
３０ｃ  凸部
３０ｄ  凹部
３０Ａ  高欄本体部
３０Ａａ  下端面
３０Ａｂ  内側面
３０Ａｂ１  下端部
３０Ｂ  垂下部
３２、１３２  第２の鉄筋
３４  ステンレス板
３６  アンカーピン
４０、２４０  間詰めコンクリート
４２  補強鉄筋
５０  高さ調整ボルト
６０  ＰＣ鋼材
７０  無収縮モルタル
７２、７４，７６  バックアップ材
７８  接着剤
８０  舗装
Ｃ  凹部空間
【図１】
2015169031.tif 000003
【図２】
2015169031.tif 000004
【図３】
2015169031.tif 000005
【図４】
2015169031.tif 000006
【図５】
2015169031.tif 000007
【図６】
2015169031.tif 000008
【図７】
2015169031.tif 000009
【図８】
2015169031.tif 000010
【図９】
2015169031.tif 000011
【図１０】
2015169031.tif 000012
【図１１】
2015169031.tif 000013